(57)【要約】【課題】目的は、ホログラムシートを活用して広告効果を高めることの可能な広告媒体を提供することにある。【解決手段】  広告媒体には広告主としての事業者又は前記事業者が提供する商品若しくはサービスに関する広告情報６，７が表記される。広告情報６，７は透明なシート状の基材４の一部分８に表記される。基材４の他の一部分１８は透過型のホログラムシート１２として構成される。ホログラムシート１２を透かして点光源を見たときに広告情報６、７の全て又は一部が画像としてホログラムシート１２に出現するように基材４の他の一部分１８はその表面に干渉縞を形成されてなる。【選択図】図１
2019045692.tif 000002
【特許請求の範囲】
【請求項１】
広告主としての事業者又は前記事業者が提供する商品若しくはサービスに関する広告情報が表記されてなる広告媒体において、
前記広告情報は透明なシート状の基材の一部分に表記され、前記基材の他の一部分は透過型のホログラムシートとして構成され、前記ホログラムシートを透かして点光源を見たときに前記広告情報の全て又は一部が画像として前記ホログラムシートに出現するように前記基材の他の一部分はその表面に干渉縞を形成されてなることを特徴とする広告媒体。
【請求項２】
前記ホログラムシートの前記画像が出現する領域とは異なる領域に前記広告情報とは関連の無い装飾又は娯楽用の他の画像が出現するように前記ホログラムシートは前記領域ごとに異なる干渉縞を形成されてなることを特徴とする請求項１記載の広告媒体。
【請求項３】
前記広告情報は文字列であり、前記文字列の全て又は一部が画像化されて前記画像として前記ホログラムシート上に出現するように前記ホログラムシートは干渉縞を形成されてなることを特徴とする請求項１記載の広告媒体。
【請求項４】
前記広告情報は文字列であり、前記文字列が一文字又は数文字ずつ画像化されて複数の画像として前記ホログラムシート上の複数の領域に分散して出現するように前記ホログラムシートは前記領域ごとに異なる干渉縞を形成されてなることを特徴とする請求項１記載の広告媒体。
【請求項５】
前記広告情報は文字列とマークとを含み、前記マークが前記画像として前記ホログラムシート上に出現するように前記ホログラムシートは干渉縞を形成されてなることを特徴とする請求項１記載の広告媒体。
【請求項６】
前記広告媒体として団扇又はフライヤーであることを特徴とする請求項１記載の広告媒体。
【請求項７】
広告主としての事業者又は前記事業者が提供する商品若しくはサービスに関する広告情報がシート状の基材に表記されてなる広告媒体において、
前記基材には少なくとも一つの開口部が形成され、
前記開口部には透過型のホログラムシートが配置され、
前記ホログラムシートを透かして点光源を見たときに前記広告情報の全て又は一部が画像として前記ホログラムシート上に出現するように前記ホログラムシートはその表面に干渉縞を形成されてなることを特徴とする広告媒体。
【発明の詳細な説明】
【技術分野】
【０００１】
本発明は、ホログラムシートを利用した広告媒体に関する。
【背景技術】
【０００２】
近年、ホログラムによって形成される画像を広告宣伝や装飾に利用することが行われている。例えば、透過型ホログラムシートを利用したホログラム構成物が提案されている（特許文献１参照）。特許文献１には、ホログラム構成物をカメラフィルタに組み込むことで、ホログラムによって形成される画像と人の顔を同時に撮影可能であることが記載されている。
【０００３】
また、透明基材上に形成された、透過型フーリエ変換ホログラム領域と非ホログラム領域からなるイメージ変換層を有し、イメージ変換層の非ホログラム領域上に接着層が形成されてなるホログラム観察シートが提案されている（特許文献２参照）。特許文献２には、接着層を利用して窓ガラス等に接着することによりホログラム観察シートを広告宣伝媒体や装飾用部材として使用可能であることが記載されている。
【先行技術文献】
【特許文献】
【０００４】
【特許文献１】特許第４３７８４５２号公報
【特許文献２】特開２００７−４１５４５号公報
【発明の概要】
【発明が解決しようとする課題】
【０００５】
ホログラムシートは画像として様々な画像を表示することができるため、広告媒体としての活用が期待される。しかし、特許文献１又は２に記載の技術は、ホログラムシートに画像が浮かび上がるという奇抜さで人目を引くことはできても、それに留まるものであり、ホログラムシートを広告媒体として十分に活用されているとはいえない。
【０００６】
本発明の目的は、ホログラムシートを活用して広告効果を高めることの可能な広告媒体を提供することにある。
【課題を解決するための手段】
【０００７】
本発明に係る広告媒体は、広告主としての事業者又は事業者が提供する商品若しくはサービスに関する広告情報を表記する。広告情報は透明なシート状の基材の一部分に表記される。基材の他の一部分は透過型のホログラムシートとして構成される。ホログラムシートを透かして点光源を見たときに広告情報の全て又は一部が画像としてホログラムシートに出現するように基材の他の一部分はその表面に干渉縞を形成されてなる。
【発明の効果】
【０００８】
本発明によると、ホログラムシートに画像が浮かび上がるという奇抜さとともに、その画像がシート状の基材に表記された広告情報であることを発見し、その驚きにより広告効果を高めることができる。
【０００９】
さらに、本発明によると、シート状の広告媒体を保持してホログラムシートを透かして点光源を見ている広告媒体の保持者にはその浮かび上がる画像により広告情報を視認させ、一方、当該保持者の周囲の他者には基材に表記された広告情報を視認させることができ、このように保持者とその周囲の他者との両方に対して広告効果を発揮させる事ができる。
【図面の簡単な説明】
【００１０】
【図１】図１は本発明の一実施形態に係る広告媒体の平面図を示す。
【図２】図２は図１のシート状の基材の平面図を示す。
【図３】図３は本実施形態の変形例に係る広告媒体の平面図を示す。
【図４】図４は本実施形態の他の変形例に係る広告媒体の平面図を示す。
【発明を実施するための形態】
【００１１】
以下、本発明を実施するための形態について図面を参照しながら具体的に説明する。但し、本発明は以下に示す形態のみに限定されるものではない。
【００１２】
図１、図２に示すように、広告媒体１は透明なシート状の基材４を有する。この透明なシート状の基材４の表面の一部分（第１領域）８には、広告主としての事業者又は事業者が提供する商品若しくはサービスに関する広告情報６，７が印刷等により表記されている。なお広告主とは、広告媒体１をその製作者から購入し、広告を目的として配布する者又は事業者と定義され得る。
【００１３】
広告媒体１としては本実施形態により奏される広告効果を効果的に発揮できるものとして好ましくは団扇（うちわ）、フライヤーである。なお、広告媒体１としてはシート状のものであればよく、団扇やフライヤーに限定されることはない。例えば、広告媒体１として扇子、名刺（ビジネスカード、ショップカード）、はがき、商品タグ、さらにはフライヤーとはそのサイズ、材質、目的等が相違するチラシ、ビラ、リーフレットなどであってもよい。ここでは広告媒体１は団扇であるとして説明する。広告媒体１が団扇であれば基材４は団扇の扇部１７を構成する。扇部１７には柄１４が固定具１６により固定される。
【００１４】
広告情報６，７として、広告主としての事業者又は事業者が提供する商品若しくはサービスを特定する名称や略称などを表す複数の文字が配列された文字列６に、当該事業者又は事業者が提供する商品若しくはサービスを印象づけるためのロゴタイプ又はシンボルマーク（絵柄）若しくはそれらを組み合わせて図案化したマーク７が併記される。
【００１５】
透明なシート状の基材４の表面の他の部分（第２領域）１８は、透過型ホログラムシート１２に構成されている。透過型のホログラムシート１２は、それを透かして観察面と反対側の点光源を見たときに、観察面側に所定の画像（光像）がホログラムシート１２上の点光源の近傍に出現するように干渉縞が形成されている。干渉縞は、電子線描画によって透明なプラスチックからなるホログラムシート基材の表面に、画像に対応する微細な凹凸により形成してもよいし、透明インキによりホログラムシート基材に印刷するものあってもよい。
【００１６】
ホログラムシート１２の大部分の領域（装飾又は娯楽用の領域）１３にはハートマーク等の広告情報６，７とは関連の無い装飾又は娯楽用の画像１５が出現するように干渉縞が形成されている。ホログラムシート１２の他の領域（広告領域）１１には、広告情報６，７の全て又は一部が画像（広告画像）１０としてホログラムシート１２上に出現するように領域１３とは異なる干渉縞が形成されている。
【００１７】
例えば、広告情報６，７が「ＡＢＣ」の文字列６にマーク７が併記されているとすると、全ての文字列６としての「ＡＢＣ」をそのまま一塊としてＢＭＰ，ＪＰＥＧなどの形式で画像化し、この画像“ＡＢＣ”をフーリエ変換処理等により干渉縞パターン（フーリエ変換像）に変換し、複数の干渉縞パターンを配列してホログラムシート１２にエッチング又は透明インキを用いた印刷により干渉縞を形成する。
【００１８】
ホログラムシート１２上に浮かび上がる画像は点光源の位置に対する依存性を軽減するために比較的小さく例えば半径５ｍｍ程度の範囲で形成されるように干渉縞パターンを構成し、この比較的小さな干渉縞パターンを領域１１内に縦横に多数配列することが好ましい。従って、全ての文字列６としての「ＡＢＣ」そのまま又は文字間を狭く修正し、若しくは円弧状に集積し再配列してそれらを一塊としてＢＭＰ，ＪＰＥＧなどの形式で画像化する事が好ましい。
【００１９】
また広告情報内の文字列６の文字数によってはその全ての文字で画像を構成した場合、文字の認識が困難になる場合がある。その場合、広告情報６，７の文字列６の一部、例えば文字列６が「ＡＢＣ株式会社」であれば、広告情報６，７を想起できるような文字列６の中の特徴的な一部の文字「ＡＢＣ」だけで画像を構成し、この画像“ＡＢＣ”が出現するように干渉縞パターンを構成するようにしてもよい。
【００２０】
さらに、文字を画像として出現させるため、文字であることの視認性、判別性をより向上させるため、図３に示すように、一文字ずつ、又は数文字ずつ画像化して、例えば「Ａ」、「Ｂ」、「Ｃ」を個々に画像化して、ホログラムシート１２上の複数の領域１１−１，１１−２，１１−３に分散して出現するようにホログラムシート１２に領域１１−１，１１−２，１１−３ごとに異なる干渉縞を形成するようにしてもよい。勿論、複数の領域１１−１，１１−２，１１−３を横並びに配置し、広告情報６，７上の文字列の順番に従ってこれら文字を領域１１−１，１１−２，１１−３に割り当てるべきである。
【００２１】
さらに、図４に示すように、広告情報６，７中のマーク７を画像２７としてホログラムシート１２上に出現するようにしてもよい。
【００２２】
本実施形態によると、シート状の広告媒体１を保持した保持者がホログラムシート１２を透かして点光源を見たとき、ホログラムシート１２に画像（広告画像）１０が浮かび上がるという奇抜さとともに、その画像１０がシート状の基材４に表記された広告情報であることを発見し、その驚きにより広告効果を高めることができるものである。
【００２３】
さらに、本実施形態によると、シート状の広告媒体１を保持した保持者はホログラムシート１２を透かして点光源を見たとき、ホログラムシート１２上に浮かび上がる画像１０により広告情報を視認することができ、一方、当該保持者の周囲の他者には基材４に表記された広告情報を視認させることができ、このように保持者とその周囲の他者との両方に対して広告効果を発揮させる事ができる。
【００２４】
また本実施形態によれば、透明なシート状の基材４に対して部分８、１８に応じてインキを不透明インキと透明インキとを使い分けることにより、本実施形態に係る広告媒体を作成工数を減少させて効率的に作成する事が可能である。
【００２５】
なお、上述の説明では、透明なシート状の基材４の一部分１８を透明インキにより印刷してその部分１８を透過型ホログラムシート１２として構成したものであるが、紙製等の不透明なシート状の基材に少なくとも一つの開口部を形成し、その開口部には、上述の干渉縞を形成された透過型のホログラムシートを配置し、はめ込むことにより広告媒体を構成するものであってもよい。この場合、透明なシート状の基材４の一部分１８を透明インキにより印刷してその部分１８を透過型ホログラムシート１２として構成するよりも、作成工数は増加するものの、機能上は同等のものといえる。
【００２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２７】
１…広告媒体、２…ホログラムシート、４…シート状基材、６…文字列、７…マーク、８…広告情報、１１…広告領域、１０…広告画像、１２…ホログラムシート、１３…装飾又は娯楽用の領域、１４…柄、１５…装飾又は娯楽用の画像、１６…固定具、１７…扇部、１８…開口部。
【図１】
2019045692.tif 000003
【図２】
2019045692.tif 000004
【図３】
2019045692.tif 000005
【図４】
2019045692.tif 000006
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
透明シートからなる広告媒体において、
前記透明シートの表面の第１領域には、広告主としての事業者又は前記事業者が提供する商品若しくはサービスに関する広告情報が印刷され、
前記透明シートの表面の第２領域の一部分には、それを透かして点光源を見たときに前記広告情報とは関連の無い装飾又は娯楽用の画像が出現するように干渉縞が印刷され、
前記第２領域の他の部分には、それを透かして点光源を見たときに前記広告情報の全て又は一部が画像として出現するように干渉縞が印刷されることを特徴とする広告媒体。
【請求項２】
前記広告情報は文字列を含み、前記第２領域の他の部分には、前記文字列が一文字ずつ又は数文字ずつ複数の文字画像として画像化され、前記複数の文字画像が前記文字列と同じ配列で出現するように干渉縞が形成されてなることを特徴とする請求項１記載の広告媒体。
【請求項３】
前記広告情報は文字列とマークとを含み、前記第２領域の他の部分には前記マークが画像として出現するように干渉縞が印刷されてなることを特徴とする請求項１記載の広告媒体。
【請求項４】
前記広告媒体として団扇又はフライヤーであることを特徴とする請求項１記載の広告媒体。
【請求項５】
シート状の基材からなる広告媒体において、
前記基材には少なくとも一つの開口部が形成され、
前記開口部には透過型のホログラムシートが配置され、
前記基材の表面の前記開口部以外の領域には、広告主としての事業者又は前記事業者が提供する商品若しくはサービスに関する広告情報が印刷され、
前記ホログラムシートの表面の一部分には、それを透かして点光源を見たときに前記広告情報とは関連の無い装飾又は娯楽用の画像が出現するように干渉縞が印刷され、
前記ホログラムシートの表面の他の部分には、それを透かして点光源を見たときに前記広告情報の全て又は一部が画像として出現するように干渉縞が印刷されることを特徴とする広告媒体。
【手続補正２】
【補正対象書類名】明細書
【補正対象項目名】０００７
【補正方法】変更
【補正の内容】
【０００７】
本発明に係る広告媒体は、透明シートからなり、透明シートの表面の第１領域には広告主としての事業者又は事業者が提供する商品若しくはサービスに関する広告情報が印刷され、透明シートの表面の第２領域の一部分にはそれを透かして点光源を見たときに広告情報とは関連の無い装飾又は娯楽用の画像が出現するように干渉縞が印刷され、第２領域の他の部分にはそれを透かして点光源を見たときに広告情報の全て又は一部が画像として出現するように干渉縞が印刷される。